(57)【特許請求の範囲】
【請求項１】
パラペット笠木の下面に固着された支柱取付ブラケットを介して前記パラペット笠木の上面に手摺が取付けられた前記パラペット笠木を、パラペット躯体上面に取付けられたベースアンカーに向けて押下して前記ベースアンカーと前記パラペット笠木との強制嵌合により、前記パラペット笠木を前記パラペット駆体に取付ける手摺付きパラペット笠木の取付構造において、
前記ベースアンカーのパラペット厚み方向に隔てた位置に設けられたパラペット笠木を支持するための起立部の上端部にクッションを備えるとともに、前記起立部の対向面に係止突起を形成し、
前記支柱取付ブラケットをほぼ逆Ｕ字形に形成するとともに、その支柱取付ブラケットの両側の垂下壁の高さ寸法を前記ベースアンカーの起立部の高さ寸法よりも小さくし、かつ、その垂下壁の下端部から外側上方に延びる係止部を設け、
前記パラペット笠木の前記ベースアンカー方向の押下の際に、前記支柱取付ブラケットを前記ベースアンカーの前記起立部の間に前記係止部の弾性を利用して強制嵌合し、前記パラペット笠木の上面部の下面が前記ベースアンカーの起立部の上端部に装着されているクッションに押圧された時のそのクッションの圧縮に伴う前記支柱取付ブラケットの降下により前記係止部の先端が前記係止突起を乗り越え、かつ、復元し、前記パラペット笠木からの押下力の解除に伴う前記クッションの復元力により、前記係止部の先端が前記係止突起に係止されるようにしたことを特徴とする手摺付きパラペット笠木の取付構造。
【請求項２】
パラペット笠木の垂下部及びベースアンカーの起立部に、ドライバの軸等の押し込み具を挿通して、支柱取付ブラケットの係止部を押し込んでその係止部と前記ベースアンカーの起立部の係止突起との係止を解除するための孔が形成されていることを特徴とする請求項１に記載された手摺付きパラペット笠木の取付構造。
【発明の詳細な説明】
【０００１】
【発明の属する技術分野】
本発明は、パラペット躯体の上面に手摺付きパラペット笠木を取付けるための構造に関する。
【０００２】
【従来の技術】
図４は、従来の手摺付きパラペット笠木の取付構造の一例を示す縦断面図であり、図５は図４のＹ−Ｙ線断面図である。
図４及び図５において、１はパラペット躯体、２Ａはそのパラペット躯体の上面にねじ３により固着されたベースアンカー、４Ａはパラペット笠木である。
ベースアンカー２はパラペット躯体の長手方向に間隔をおいて固着され、パラペットの厚み方向に隔てた位置にパラペット笠木４Ａの上面部４１を支持する起立部２１を有し、その起立部の外面にパラペット笠木４Ａの垂下部４２の内面に形成してある弾性係止縁４３を係止するための係止部２２を有していて、パラペット笠木４Ａをパラペット躯体１にその上方から強制嵌合して、すなわち、両側の係止縁４３にベースアンカーの係止部２２を乗り越えさせ、かつ、復元させてその係止部２２に係止させると同時にパラペット笠木４の上面部４１を起立部２１で支持させて、パラペット笠木４Ａを固定するようになっている。
【０００３】
そして、パラペット躯体の上面に手摺５を取付けるには、パラペット笠木４Ａの上面部４１の下面に断面下方開口コ字形の支柱取付ブラケット６Ａを当接し、その支柱取付ブラケット６Ａの底部及びパラペット笠木４Ａの上面部４１に貫通したねじ７を、周知の方法によりあらかじめ組み立てられた手摺５の支柱５１の下端部にねじ込んで、手摺５を予めパラペット笠木４Ａに取付けてある。
なお、手摺５は、パラペット笠木４Ａの長手方向に隔てられた手摺支柱５１の上端部に連結材５２を取付け、その連結材５２に手摺笠木５３を強制嵌合係止して組み立てられている。
【０００４】
上記のように図４及び図５に例示された従来の手摺付きパラペット笠木の取付構造においては、支柱取付ブラケット６Ａが薄い金属板で作られているパラペット笠木４Ａの上面部４１の、ベースアンカー２Ａの起立部２１の間の部分に固着されているだけであり、ベースアンカー２Ａには結合されていないため、手摺支柱５１の支持強度が充分ではなく、手摺笠木５３に体重を預けた場合や避難ロープ等からの引っ張り力などの大きな外力が加えられた場合などに、充分に耐えられない恐れがあった。なお、図４において４４はパラペット笠木の垂下部の下端部に嵌着されたウェザーストリップである。
【０００５】
このような問題を解消するため、図６及び図７に例示されるような手摺付きパラペット笠木の取付構造が提案されている。すなわち、ベースアンカー２Ｂの起立部２１の内側に一方向に開口する凹部を有する一対の係止部２３をパラペット厚み方向に隔てた位置に設けるとともに、逆Ｕ字形の支柱取付ブラケット６Ｂの両端部の垂下脚に、一対の係止部２３に対応する他方向に突出する係止部６１を形成して、パラペット笠木４Ｂをベースアンカー２Ｂに通常の方法で強制嵌合して、パラペット笠木の係止部４３をベースアンカー２Ｂの係止部２２に係止し、かつ、パラペット笠木４Ｂの上面部４１をベースアンカーの起立部２１の上端部に支持させた後、パラペット笠木の一方の垂下部４２に設けた孔４５から固定ビス８を貫通し、ベースアンカー２Ｂの一方の起立部２１に設けたねじ孔にねじ込んで、そのビスで支柱取付ブラケット６Ｂの垂下脚をベースアンカー２Ｂの係止部２３方向にスライドさせることにより、支柱取付ブラケット６Ｂを固定するようにしたものである。
【０００６】
【発明が解決しようとする課題】
上記提案に係る笠木取付構造によれば、支柱取付ブラケット６Ｂの両端部がベースアンカー２Ｂに固定されるので、手摺５の取付強度が格段に大きくなる利点がある。しかしながら、支柱取付ブラケット６Ｂをビス８により押し付けてスライドさせる構造であるため、（ａ）パラペット笠木の装着が単なる強制嵌合のみでなく、ビスをねじ込んでスライドさせる作業が余分に必要になること、（ｂ）支柱取付ブラケットの押し付けスライドの際にパラペット笠木までが移動されるため、ベースアンカーの両起立部２１の上端部に嵌着されているゴム製クッション２４が外れたり、パラペット笠木のスライド方向（図６の左側）の係止部４３がベースアンカーの係止部２２から外れる恐れがあること、また、（ｃ）手摺又はパラペット笠木の交換などが必要の際に、パラペット笠木を逆方向にスライドさせながら係止部４３と２２の係合を外さなければならないので、ベースアンカーからパラペット笠木を容易に取り外すことができないことなどの問題がある。クッション２４が外れると、強風時や地震時などにパラペット笠木とベースアンカーとの間にビビリ音その他の騒音が発生する原因になる。
【０００７】
本発明は、上記の点に鑑みてなされたものであり、その第一の課題は、パラペット笠木は垂直下方に強制嵌合する作業のみでベースアンカーに対して固定でき同時に、支柱取付けブラケットもそのベースアンカーにしっかり固定されるようにすることにある。
第二の課題は、上記課題を解決する手摺付きパラペット笠木の取付構造において、パラペット笠木及び手摺の取り外しが容易にできるようにすることにある。
【０００８】
【課題を解決するための手段】
上記第一の課題を解決するため、請求項１の発明は、パラペット笠木の下面に固着される支柱取付ブラケットを介して前記パラペット笠木に手摺を取付け、そのパラペット笠木をパラペット躯体上面に取付けられたベースアンカーに強制嵌合してパラペットに取付ける手摺付きパラペット笠木の取付構造において、
（ａ）ベースアンカーのパラペット厚み方向に隔てた位置に設けられたパラペット笠木を支持するための起立部の上端部にクッションを備えるとともに、前記起立部の対向面に係止突起を形成したこと、
（ｂ）支柱取付ブラケットをほぼ逆Ｕ字形に形成するとともに、その支柱取付ブラケットの両側の垂下壁の高さ寸法をベースアンカーの起立部の高さ寸法よりも小さくし、かつ、その垂下壁の下端部から外側上方に延びる係止部を設けたこと、
（ｃ）パラペット笠木の前記ベースアンカー方向の押下の際に、前記支柱取付ブラケットを前記ベースアンカーの前記起立部の間に前記係止部の弾性を利用して強制嵌合し、前記パラペット笠木の上面部の下面が前記ベースアンカーの起立部の上端部に装着されているクッションに押圧された時のそのクッションの圧縮に伴う前記支柱取付ブラケットの降下により前記係止部の先端が前記係止突起を乗り越え、かつ、復元し、前記パラペット笠木からの押下力の解除に伴う前記クッションの復元力により、前記係止部の先端が前記係止突起に係止されるようにしたこと、
を特徴としている。
上記構成により、支柱取付けブラケットを介して手摺を取付けたパラペット笠木をベースアンカーに向けて垂直下方に押下し、支柱取付けブラケットをベースアンカーの起立部の間に弾性的に強制嵌合すると、支柱取付けブラケットの両側の係止部が弾性変形され、そのままパラペット笠木を押下すると、そのパラペット笠木がベースアンカーの起立部の上端部のクッションに押し付けられてクッションが圧縮したとき、係止部がベースアンカーの起立部の係止突起によって互いに接近する方向に変形されてその係止部の先端が係止突起を乗り越え、その直後に復元する。そのパラペット笠木から押下力を解除すると、圧縮したクッションの復元により、係止部の先端が係止突起に係止される。これと同時にパラペット笠木の垂下部がベースアンカーの係止部に強制嵌合し、係止される。
【０００９】
第二の課題を解決する請求項２の発明は、請求項１の発明において、パラペット笠木の垂下部及びベースアンカーの起立部に、ドライバの軸等の押し込み具を挿通して、支柱取付ブラケットの係止部を押し込んでその係止部と前記ベースアンカーの起立部の係止突起との係止を解除するための孔が形成されていることを特徴としている。
上記構成により、パラペット笠木と手摺がパラペット躯体に取付けられている状態において、ドライバの軸その他の類似の押し込み具をパラペット笠木の垂下部及びベースアンカーの起立部に設けてある孔に挿通し、支柱取付ブラケットの係止部を押し込みながら前記パラペット笠木の垂下部と支柱取付ブラケットを手前側に引きながら持ち上げることにより、パラペット笠木と手摺をパラペット躯体から容易に取り外すことができる。
【００１０】
【発明の実施の形態】
次に、本発明の実施の形態を図１及び図２の図面に基づいて説明する。既述した従来技術の構成部材と同一又は相当の部材には同一の符号を用いる。
図１は本発明によるパラペット笠木・手摺の取付構造の一例を示す縦断面図であり、図２は図１のＸ−Ｘ線断面図である。
【００１１】
本発明においては、ベースアンカー２のパラペット厚み方向に隔てた位置に設けてある一対の起立部２１の対向面に係止突起（凸条を含む。）２５が設けられている。また、パラペット笠木４の上面部４１の下面に固着される逆Ｕ字形の支柱取付けブラケット６の両側の垂下脚の下端部に外側上方に湾曲して、多少の弾性を有する係止部６２が形成されている。この両側の係止部６２は、ベースアンカー２の両側の起立部２１の間に強制嵌合することができる。そして、両係止部６２の先端部間距離は起立部２１の係止突起２５の先端部間距離よりも大きく設定されている。
【００１２】
その他の構成は、従来技術と同様である。
【００１３】
上記構成を有するベースアンカー２と支柱取付けブラケット６を用いてパラペット笠木と手摺をパラペット躯体１に取付ける際の手順を説明すると、従来と同様に、パラペット躯体上面にベースアンカー２をビス３により固定した後、予め支柱取付けブラケット６とビス７により手摺５を取付けたパラペット笠木４をベースアンカー２に位置合わせして垂直下方にパラペット笠木４の上面部が起立部２１の上端部に装着してあるクッションに当たって止められるまで移動し、支柱取付けブラケット６の両垂下脚と係止部６２とをベースアンカー２の両起立部２１の間に位置的に対応させ、パラペット笠木４を垂直下方に押し付けて、支柱取付けブラケット６をベースアンカー２の両起立部２１の間に強制嵌合し、同時にパラペット笠木４の両垂下部４２をベースアンカー２に強制嵌合する。
【００１４】
この強制嵌合の際に、支柱取付けブラケット６の係止部６２が係止突起２５を乗り越えた後復元して、係止部６２が係止突起２５に係止される。また、パラペット笠木４の両垂下部４２の両係止部４３がベースアンカー２の両係止部２２に係止すると同時にパラペット笠木４の上面部４１がベースアンカー２の両起立部２１の上端部に嵌着されているクッション２４に押し付けられた状態で支持される。従って、パラペット笠木４の上面部４１は両係止部６２がベースアンカー２の起立部２５に係止されている支柱取付けブラケット６に上向きの力を加えるので、パラペット笠木４の上面部４１及びベースアンカー２の、従って支柱５１の沈み込みが発生せず、支柱取付けブラケット６の取付け状態が強固になる。従って、手摺支柱５１のパラペット笠木４に対する取付け強度も格段に増大されている。
そして、パラペット笠木及び手摺は、単に垂直下方に押し付けるのみで固定されるので、すなわち、パラペット笠木が水平方向にスライドされることはないので、笠木・手摺の取付け時にクッション２４が外れることはない。従って、強風時や地震時などにパラペット笠木からビビリ音その他の騒音が発生することがない。
【００１５】
図３は、本発明の他の実施の形態を示す。この実施の形態においては、パラペット笠木４の少なくとも一方の垂下部、すなわち、パラペットの設置位置において操作しやすい側（図３において右側）の垂下部４２とベースアンカー２´の起立部２１及び係止部２２に、外側からドライバの軸その他類似形状を有する押し込み具９を挿通し、支柱取付けブラケット６の係止突起２５に係止されている係止部６２を押し込んで、その係止状態を外すことができる孔４５，６３が形成されている。パラペット笠木の孔４５は、通常はキャップ（図示せず）が着脱自在に嵌着されて、塞がれている。
【００１６】
このような構成により、パラペット笠木４と手摺５は、先の実施の形態の場合と同様に、堅固に固定されている。そして、パラペット笠木４と手摺５を何らかの理由により取り外す必要が生じた場合は、キャップを外し、孔４５，６３に押し込み具９を差し込み、支柱取付けブラケット６の係止突起２５に係止されている係止部６２を押し込んで、係止部６２を係止突起２５から離脱させた状態でパラペット笠木４の右側の垂下部を手前側に引きながら持ち上げることにより、パラペット笠木４の右側の垂下部４２及び支柱取付けブラケット６の右側の係止突起２５をベースアンカー２´から上方に離間させるとともに、パラペット笠木４を手前上方に若干引いて、支柱取付けブラケット６の他方（図３において左側）の係止部６２をこれに対応するベースアンカーの他方（図３において左側）の係止突起２５から外し、続いてパラペット笠木４を先方（図３において左方向）に移動することにより、パラペット笠木４と支柱取付けブラケット６と手摺５とをすべてベースアンカー２´から取り外すことができる。
【００１７】
なお、図１の形状を有するベースアンカー２の場合に、押し込み具９の挿通孔を設けるには、パラペット笠木の少なくとも一方の垂下部４２とベースアンカー２の同一側の起立部２１とに孔を設ければ良い。
【００１８】
【発明の効果】
上述のように、請求項１の発明によれば、手摺付きパラペット笠木をベースアンカーに向けて垂直下方に押下すると、支柱取付けブラケットがベースアンカーの起立部の間に弾性的に強制嵌合し、支柱取付けブラケットの両側の係止部が弾性変形され、そのままパラペット笠木を押下すると、そのパラペット笠木がベースアンカーの起立部の上端部のクッションに押し付けられてクッションが圧縮したとき、係止部がベースアンカーの起立部の係止突起によって互いに接近する方向に変形されてその係止部の先端が係止突起を乗り越え、その直後に復元し、パラペット笠木から押下力を解除すると、圧縮したクッションの復元により、係止部の先端が係止突起に係止され、これと同時にパラペット笠木の垂下部がベースアンカーの係止部に強制嵌合し、係止される。従って、パラペット笠木と支柱取付けブラケットとをベースアンカーに位置合わせしてパラペット笠木がベースアンカーの起立部の上端部のクッションによって止められるまでパラペット笠木を押下するだけで、支柱取付けブラケットが所定位置に強固に固定され、手摺も堅固に取付けられる。そして、パラペット笠木はベースアンカーの起立部の上端部のクッションによって支持されるので、パラペット笠木の上面部、従ってまた支柱の沈み込みが起きないように堅固に支持される。さらに、パラペット笠木が水平方向にスライドされることがないので、クッションが外れることがなく、従って、暴風時や振動を受けた時にパラペット笠木から騒音が発生することがない。
【００１９】
また、請求項２の発明によれば、上記請求項１の発明の効果が得られるほか、パラペット笠木と手摺の取り外しが必要になった時は、所定形状の押し込み具を用いて容易に取り外すことができる。
【図面の簡単な説明】
【図１】  本発明に一つの実施の形態を示す縦断面図。
【図２】  図１のＸ−Ｘ線断面図。
【図３】  本発明の他の実施の形態を示す縦断面図。
【図４】  従来技術の一例の縦断面図。
【図５】  図４のＹ−Ｙ線断面図。
【図６】  従来技術の他の例の縦断面図。
【図７】  図６のＺ−Ｚ線断面図。
【符号の説明】
１        パラペット躯体
２，２´  ベースアンカー
２１      起立部
２２      係止部
２４      クッション
２５      係止突起
４        パラペット笠木
４１      上面部
４２      垂下部
４３      係止部
４５      押し込み具を挿通するための孔
５        手摺
５１      支柱
５２      連結材
５３      手摺笠木
６        支柱取付けブラケット
６２      係止部
９        押し込み具
【図１】
0004056731.tif 000002
【図２】
0004056731.tif 000003
【図３】
0004056731.tif 000004
【図４】
0004056731.tif 000005
【図５】
0004056731.tif 000006
【図６】
0004056731.tif 000007
【図７】
0004056731.tif 000008